(57)【要約】【課題】周波数依存性を持たずに、入力インピーダンス及びゲインを制御することができる増幅回路及び受信装置を提供することを課題とする。【解決手段】入力信号の電圧値を電流値に変換する変換回路（Ｍ２）と、前記変換回路の出力端子に接続され、第１のトランジスタ（Ｍ１）、第１の抵抗（Ｒ１）及び第１の可変容量（Ｃ１）を含むアクティブインダクタ（２０１）と、前記変換回路の前記出力端子に接続される第２の可変容量（Ｃ２）と、前記変換回路の前記出力端子と前記変換回路の入力端子との間に接続されるフィードバック回路（２０３）とを有することを特徴とする増幅回路が提供される。【選択図】図１
2010074501.tif 000002
【特許請求の範囲】
【請求項１】
入力信号の電圧値を電流値に変換する変換回路と、
前記変換回路の出力端子に接続され、第１のトランジスタ、第１の抵抗及び第１の可変容量を含むアクティブインダクタと、
前記変換回路の前記出力端子に接続される第２の可変容量と、
前記変換回路の前記出力端子と前記変換回路の入力端子との間に接続されるフィードバック回路と
を有することを特徴とする増幅回路。
【請求項２】
さらに、前記第１の可変容量及び前記第２の可変容量の値を制御する制御回路を有することを特徴とする請求項１記載の増幅回路。
【請求項３】
前記変換回路は、前記入力信号がゲートに入力されるソース接地型アンプであることを特徴とする請求項１又は２記載の増幅回路。
【請求項４】
前記第１の可変容量の第１容量値と前記第２の可変容量の第２容量値との比が、一定となるよう前記制御回路によって制御されることを特徴とする請求項１記載の増幅回路。
【請求項５】
前記第１のトランジスタは、ドレインが電源電位ノードに接続され、ソースが前記ソース接地型アンプの前記出力端子に接続され、
前記第１の抵抗は、前記電源電位ノード及び前記第１のトランジスタのゲート間に接続され、
前記第１の可変容量は、前記第１のトランジスタのゲート及びソース間に接続され、
前記第２の可変容量は、前記電源電位ノード及び前記ソース接地型アンプの前記出力端子間に接続されることを特徴とする請求項３記載の増幅回路。
【請求項６】
信号を受信するアンテナと、
前記アンテナを介して受信した信号を増幅する増幅回路と、
電圧に応じて信号を発振する電圧制御発振器と、
前記増幅回路により増幅された信号及び前記電圧制御発振器により発振した信号をミキシングするミキサとを有し、
前記増幅回路は、
入力信号の電圧値を電流値に変換する変換回路と、
前記変換回路の出力端子に接続され、第１のトランジスタ、第１の抵抗及び第１の可変容量を含むアクティブインダクタと、
前記変換回路の前記出力端子に接続される第２の可変容量と、
前記変換回路の前記出力端子と前記変換回路の入力端子との間に接続されるフィードバック回路とを有することを特徴とする受信装置。
【発明の詳細な説明】
【技術分野】
【０００１】
本発明は、増幅回路及び受信装置に関する。
【背景技術】
【０００２】
無線受信装置のアーキテクチャにおいて入力する信号が微弱であることから、まず信号を増幅する増幅回路が必要となる。しかし、増幅回路も電子回路で形成することから雑音の発生は逃れられない。その雑音の電力レベルによって入力してきた信号のレベルが後段で判別不可能なことになると増幅した意味を成さないため、極力雑音を出さない低雑音増幅回路（ＬＮＡ）が求められる。低雑音化とはすなわち入力換算ノイズを小さくすることである。入力換算ノイズを小さくするためには増幅回路が持つゲイン（利得）が大きいほど良い。大きなゲインを持つ構成としてはソース接地型アンプが一般的である。
【０００３】
しかし、ソース接地型アンプは入力インピーダンスが高い。無線受信装置のアーキテクチャとしては低雑音のほかに、アンテナとのインピーダンスを合わせてアンテナから入射した信号を最大限にアンプに伝達する必要がある。これをインピーダンスマッチングと呼ぶ。
【０００４】
また、一般的に低雑音増幅回路には、入力信号の周波数の変化に対応して、利得を安定して後段の回路、例えばミキサ回路に信号を送る必要があるため可変ゲイン機能が必要になる。
【０００５】
図４は低雑音増幅回路の構成例を示すブロック図であり、図５はソース接地型アンプを用いた低雑音増幅回路の構成例を示す回路図である。電流電圧変換回路８０１は、カスコード接続された電界効果トランジスタ９０１及び９０２からなるソース接地型アンプであり、入力電圧Ｖｉｎを電流に変換して出力する。出力負荷８０２は、電流電圧変換回路８０１により変換された電流を出力電圧Ｖｏｕｔに変換する。バッファ８０３は、電界効果トランジスタ９０３及び電流源９０４を有し、出力電圧Ｖｏｕｔをフィードバック回路（素子）８０４を介して、入力電圧Ｖｉｎの端子にフィードバックする。
【０００６】
低雑音増幅回路の入力インピーダンスＺｉｎは、次式で表わされる。ここで、Ｚｆｂは、フィードバック回路８０４のインピーダンス、ｇｍは電界効果トランジスタ９０１の相互コンダクタンス、Ｚｏｕｔは出力負荷８０２のインピーダンスである。
Ｚｉｎ＝Ｚｆｂ／｛１＋（ｇｍ×Ｚｏｕｔ）｝      ・・・（１）
【０００７】
ここで、ｇｍ×Ｚｏｕｔ＞＞１の場合には、式（１）は式（２）で表わすことができる。
Ｚｉｎ＝Ｚｆｂ／（ｇｍ×Ｚｏｕｔ）      ・・・（２）
【０００８】
入力インピーダンスＺｉｎは、相互コンダクタンスｇｍ、出力負荷インピーダンスＺｏｕｔ及びフィードバック回路８０４のインピーダンスＺｆｂによって決定される。
【０００９】
また、特開２００５−３３５９６号公報には、第１のトランジスタに負荷として接続された、インダクタンス素子と複数の容量素子と該複数の容量素子に接続された複数のスイッチとを持つことを特徴とする高周波増幅回路が記載されている。
【００１０】
【特許文献１】特開２００５−３３５９６号公報
【発明の開示】
【発明が解決しようとする課題】
【００１１】
図４及び図５の回路は、可変ゲイン機能を有する増幅回路である。トランジスタ９０１の相互コンダクタンスｇｍを変化させる場合、又は出力負荷８０２が周波数依存性などを持つ場合、上式（２）の分母が変化するため、入力インピーダンスＺｉｎを一定に保つことができない。したがって、入力インピーダンスＺｉｎがアンテナのインピーダンスとミスマッチを起こし、信号を十分に伝達できなくなる。
【００１２】
本発明の目的は、周波数依存性を持たずに、入力インピーダンス及びゲインを制御することができる増幅回路及び受信装置を提供することである。
【課題を解決するための手段】
【００１３】
本発明の増幅回路は、入力信号の電圧値を電流値に変換する変換回路と、前記変換回路の出力端子に接続され、第１のトランジスタ、第１の抵抗及び第１の可変容量を含むアクティブインダクタと、前記変換回路の前記出力端子に接続される第２の可変容量と、前記変換回路の前記出力端子と前記変換回路の入力端子との間に接続されるフィードバック回路とを有することを特徴とする。
【発明の効果】
【００１４】
第１の容量及び第２の容量の比に応じて出力負荷インピーダンスが決まるので、周波数依存性を持たずに、入力インピーダンス及びゲインを制御することができる。
【発明を実施するための最良の形態】
【００１５】
（参考技術）
図６は、増幅回路の構成例を示すブロック図である。この増幅回路は、例えば、無線受信装置に用いられる高周波用低雑音増幅回路である。アンテナは、入力電圧Ｖｉｎの端子に接続される。
【００１６】
入力電圧Ｖｉｎの端子は、電流電圧変換回路１０１の入力端子に接続される。電流電圧変換回路１０１は、ソース接地型アンプであり、入力端子が入力電圧Ｖｉｎの端子に接続され、出力端子が出力電圧Ｖｏｕｔの端子に接続され、入力電圧Ｖｉｎを電流に変換して出力する。出力負荷１０２は、電流電圧変換回路１０１の出力端子に接続され、電流電圧変換回路１０１が出力する電流を出力電圧Ｖｏｕｔに変換する。バッファ回路１０３は、電流電圧変換回路１０１の出力端子に接続される。フィードバック回路（素子）１０４は、バッファ回路１０３の出力端子及び電流電圧変換回路１０１の入力端子間に接続される。
【００１７】
電流電圧変換回路１０１は、内部の相互コンダクタンスｇｍが可変である。出力負荷１０２は、内部のインピーダンスＺｏｕｔが可変である。フィードバック回路１０４は、内部のインピーダンスＺｆｂが可変である。制御用デコーダ１０５は、制御信号ＣＴＬに応じて、電流電圧変換回路１０１の相互コンダクタンスｇｍ、出力負荷１０２のインピーダンスＺｏｕｔ及び／又はフィードバック回路１０４のインピーダンスＺｆｂを制御する。ここで制御信号ＣＬＴは、例えば受信信号の周波数に応じて変更される信号であり、より具体的には複数チャネルの中から所望のチャネルを選択して受信するための選択信号に応じて定まる信号等である。
【００１８】
増幅回路の入力インピーダンスＺｉｎは、上式（１）で表わされ、上式（２）で近似できる。増幅回路のゲインは、ｇｍ×Ｚｏｕｔで表わされる。式（２）が示す通り、出力負荷１０２のインピーダンスＺｏｕｔが変化した場合、フィードバック回路１０４のインピーダンスＺｆｂを出力負荷１０２のインピーダンスＺｏｕｔの変化分だけ変更すれば、常に一定した入力インピーダンスＺｉｎを得ることができる。増幅回路は、出力負荷１０２のインピーダンスＺｏｕｔの変動により、入力インピーダンスＺｉｎが変動しないように、フィードバック回路１０４のインピーダンスＺｆｂを出力負荷１０２のインピーダンスＺｏｕｔに合わせて変化させる。
【００１９】
同様に、電流電圧変換回路１０１の相互コンダクタンスｇｍが変化した場合、フィードバック回路１０４のインピーダンスＺｆｂを制御すれば、常に一定した入力インピーダンスＺｉｎを得ることができる。
【００２０】
増幅回路のゲインを考慮すれば、入力インピーダンスＺｉｎは常に一定に保つことができる。これにより、入力インピーダンスＺｉｎのミスマッチに因る不要な、または意図しない信号強度の低下を防ぐことができる。インピーダンスマッチングにより、入力信号の反射を防止し、入力信号の強度低下を防止することができる。不要な信号強度の低下は雑音特性にも影響するため、無線受信装置における効果は大きい。
【００２１】
図７は、図６の増幅回路の具体例を示す回路図である。ｎチャネル電界効果トランジスタ１１３は、ゲートが入力電圧Ｖｉｎの端子に接続され、ソースが基準電位ノード（グランド電位ノード）に接続され、ドレインが出力電圧Ｖｏｕｔの端子に接続される。ｎチャネル電界効果トランジスタ１１３は、図６の電流電圧変換回路１０１に対応し、入力端子が入力電圧Ｖｉｎの端子に接続され、出力端子が出力電圧Ｖｏｕｔの端子に接続され、入力電圧Ｖｉｎを電流に変換して出力するソース接地型アンプである。出力負荷１０２は、インダクタ１１４及び可変容量１１５を有する。可変容量１１５の容量値を変えることにより、出力負荷１０２のインピーダンスＺｏｕｔを変えることができる。バッファ回路１０３は、ｎチャネル電界効果トランジスタ１１１及び電流源１１２を有する。
【００２２】
出力負荷１０２は、インダクタ１１４及び容量１１５を並列に接続することにより、共振器として使用することができる。可変容量１１５の容量値を変化させることにより、周波数的に広い範囲で用いることができる。
【００２３】
上記回路においては、可変容量１１５の容量値を変化させて周波数範囲を変化させるとそれに伴い、ゲインのピーク値（出力負荷インピーダンスＺｏｕｔ）は変化する。
【００２４】
Ｚｏｕｔの変化による入力インピーダンスＺｉｎの変動を抑えるために、図７の増幅回路は、出力負荷インピーダンスＺｏｕｔの可変量に合わせて、フィードバック回路１０４のインピーダンスＺｆｂを制御する。
【００２５】
（第１の実施形態）
図１は、本発明の第１の実施形態による増幅回路の構成例を示す図である。この増幅回路は、アクティブインダクタ２０１、バッファ回路２０２、フィードバック回路２０３、制御用デコーダ（制御回路）２０４、トランジスタＭ２及び第２の容量Ｃ２を有する高周波用低雑音増幅回路（半導体回路）である。バッファ回路２０２は、出力電圧に応じた電圧を出力し、かつフィードバック回路２０３によって出力側から入力側への電流が流れることを防止する機能を有するものであれば種々の回路が適用可能である。第２のｎチャネル電界効果トランジスタＭ２は、ゲートが入力電圧Ｖｉｎの端子に接続され、ソースが基準電位ノード（グランド電位ノード）に接続され、ドレインが出力電圧Ｖｏｕｔの端子に接続される。第２のｎチャネル電界効果トランジスタＭ２は、ソース接地型アンプであり、ゲートがソース接地型アンプの入力端子であり、ドレインがソース接地型アンプの出力端子である。尚、トランジスタＭ２は入力信号の電圧を電流に変換する変換回路の一例であり、ソース接地型アンプに限定されるものではない。
【００２６】
アクティブインダクタ２０１は、ソース接地型アンプＭ２の出力端子に接続され、第１のｎチャネル電界効果トランジスタＭ１、第１の抵抗Ｒ１及び第１の容量Ｃ１を含む。第１のｎチャネル電界効果トランジスタＭ１は、ドレインが電源電位ノードに接続され、ソースがソース接地型アンプＭ２の出力端子に接続される。第１の抵抗Ｒ１は、電源電位ノード及び第１のｎチャネル電界効果トランジスタＭ１のゲート間に接続される。第１の容量Ｃ１は、第１のｎチャネル電界効果トランジスタＭ１のゲート及びソース間に接続される可変容量である。
【００２７】
第２の容量Ｃ２は、アクティブインダクタ２０１に並列に接続される可変容量である。具体的には、第２の容量Ｃ２は、電源電位ノード及びソース接地型アンプＭ２の出力端子間に接続される。
【００２８】
バッファ回路２０２は、ソース接地型アンプＭ２の出力端子に接続され、ソース接地型アンプＭ２の出力端子の電圧を増幅する。バッファ回路２０３は、図６のバッファ回路１０３に対応する。フィードバック回路２０３は、バッファ回路２０２の出力端子及びソース接地型アンプＭ２の入力端子間に接続される。  
制御用デコーダ２０４は、制御信号ＣＴＬに応じて、第１の容量Ｃ１及び第２の容量Ｃ２の値を制御する。
【００２９】
本実施形態は、出力負荷としてアクティブインダクタ２０１及び第２の容量Ｃ２の共振器を用いる。また、本実施形態は、フィードバック回路２０３のインピーダンスＺｆｂを変化させずに安定した入力インピーダンスＺｉｎを得るために、出力負荷インピーダンスＺｏｕｔの周波数依存性を持たないように制御する。
【００３０】
アクティブインダクタ２０１は、トランジスタＭ１と抵抗Ｒ１と容量Ｃ１を有する。トランジスタＭ１の相互コンダクタンスをｇｍとすると、アクティブインダクタ２０１のインピーダンスＺＬは、次式で表わされる。
【００３１】
ＺＬ＝（１／ｇｍ）＋（ｊω×Ｃ１×Ｒ１／ｇｍ）      ・・・（３）
【００３２】
インピーダンスＺＬ及び容量Ｃ２で構成される共振器の出力負荷インピーダンスＺｏｕｔのピーク値は、次式となる。
【００３３】
Ｚｏｕｔ＝（Ｃ１／Ｃ２）×Ｒ１      ・・・（４）
【００３４】
そのため、第１の容量Ｃ１と第２の容量Ｃ２の値の比を一定値に保つように制御すると周波数依存性を持たない出力負荷インピーダンスＺｏｕｔを得ることができる。トランジスタＭ２の相互コンダクタンスをＧｍとすると、増幅回路のゲインはＧｍ×Ｚｏｕｔで表わされる。入力電圧Ｖｉｎの周波数にかかわらず、ゲインを一定に保つことができる。また、上式（２）より、出力負荷インピーダンスＺｏｕｔを一定値に保てば、フィードバック回路２０３のインピーダンスＺｆｂを変化させずに安定した入力インピーダンスＺｉｎを得ることができる。さらに、出力負荷としてアクティブインダクタ２０１及び容量Ｃ２の共振器を用いているため抵抗素子に比べて高いゲインが得られる。
【００３５】
出力負荷のインダクタ１１４（図７）をアクティブインダクタ２０１（図１）で構成する。アクティブインダクタ２０１は、トランジスタＭ１、抵抗Ｒ１及び容量Ｃ１で構成できるため、小型化でき、ＬＳＩ内部に実装可能である。したがって、外付けインダクタが不要になる。さらに、１０ｐＦ程度の容量値を実現できれば、数十ＭＨｚの信号まで適用可能である。可変容量Ｃ１及びＣ２を同じ素子（例えばＭＩＭ（Metal-Insulator-Metal Capacitor））で構成すれば相対ばらつきを考える必要が殆どない。
【００３６】
（第２の実施形態）
図２は、本発明の第２の実施形態による増幅回路の構成例を示す回路図であり、図１の増幅回路の具体例を示す。以下、図２の増幅回路が図１の増幅回路と異なる点を説明する。可変容量Ｃ１及びＣ２は、それぞれ複数の容量及びスイッチの直接接続回路が並列に接続される。制御用デコーダ２０４（図１）が容量Ｃ１及びＣ２のスイッチのオン／オフを制御することにより、容量Ｃ１及びＣ２の値を変化させることができる。
【００３７】
バッファ回路２０２は、ｎチャネル電界効果トランジスタ２１１及び電流源２１２を有する。トランジスタ２１１は、ゲートが出力電圧Ｖｏｕｔの端子に接続され、ドレインが電源電位ノードに接続される。電流源２１２は、トランジスタ２１１のソース及び基準電位ノード間に接続される。フィードバック回路２０３は、抵抗Ｒｆｂを有し、トランジスタ２１１のソース及びトランジスタＭ２のゲート間に接続される。
【００３８】
第３のｎチャネル電界効果トランジスタＭ３は、ゲートが電源電位ノードに接続され、ドレインが出力電圧Ｖｏｕｔの端子に接続され、ソースが第２のｎチャネル電界効果トランジスタＭ２のドレインに接続される。第２のｎチャネル電界効果トランジスタＭ２及び第３のｎチャネル電界効果トランジスタＭ３は、ソース接地型アンプを構成し、図６の電流電圧変換回路１０１に対応する。ソース接地型アンプは、入力端子が入力電圧Ｖｉｎの端子に接続され、出力端子が出力電圧Ｖｏｕｔの端子に接続される。トランジスタＭ２及びＭ３は、カスケード接続（直列接続）される。
【００３９】
トランジスタＭ１の相互コンダクタンスをｇｍ、トランジスタＭ１のゲート−ソース間容量をＣｇｓとすると、アクティブインダクタ２０１のインピーダンスＺＬは次式で表わされる。ここで、抵抗ｒは１／ｇｍを示し、ｓは虚数を示すｊωと同義である。
【００４０】
ＺＬ＝｛１＋ｓ×ｒ×Ｃ１−ω2×Ｃ１×Ｃｇｓ×ｒ×Ｒ１＋ｓ×（Ｃ１＋Ｃｇｓ）×Ｒ１｝／｛１＋ｓ×ｒ×Ｃ１｝×ｇｍ｝      ・・・（５）
【００４１】
ここで、ｒ×Ｃ１ ＜＜ Ｒ１×（Ｃ１＋Ｃｇｓ）、かつω2×Ｃ１×Ｃｇｓ×ｒ×Ｒ１ ＜＜ １、かつＣｇｓ ＜＜ Ｃ１の場合（ｒ及びＣｇｓを極力小さくすればよい)、式（５）は次式のように簡略化できる。
【００４２】
ＺＬ≒（１＋ｓ×Ｃ１×Ｒ１）／ｇｍ      ・・・（６）
【００４３】
インピーダンスＺＬのアクティブインダクタ２０１は、等価的に抵抗ｒ（＝１／ｇｍ）とインダクタンスＬ（＝Ｃ１×Ｒ１／ｇｍ）の直列接続回路である。アクティブインダクタ２０１は、信号の周波数を共振周波数に限定すると、抵抗及びインダクタの直列接続回路を抵抗及びインダクタの並列接続回路に変換することができる。そのとき、インダクタ及び可変容量Ｃ２に対して並列に接続された抵抗が、アクティブインダクタ２０１にとって実効的なインピーダンスになる。そのときのインピーダンス（ピーク値）Ｚｏｕｔは、次式で表わされる。
【００４４】
Ｚｏｕｔ＝（ω×Ｌ）2／（１／ｇｍ）      ・・・（７）
【００４５】
ここで、ωは、アクティブインダクタ２０１のインダクタンスと可変容量Ｃ２によって構成される共振器の共振周波数である。共振周波数ωは次式で表わされる。
【００４６】
ω＝１／√（Ｌ×Ｃ２）      ・・・（８）
＝１／√（Ｃ１×Ｒ１×Ｃ２／ｇｍ）      ・・・（９）
【００４７】
したがって、式（９）を式（７）のインピーダンスＺｏｕｔに代入すると次式になる。
【００４８】
Ｚｏｕｔ＝（Ｃ１／Ｃ２）×Ｒ１      ・・・（１０）
【００４９】
したがって、このインピーダンス（ピーク値）Ｚｏｕｔには周波数依存性が無い。
【００５０】
また、トランジスタＭ２の相互コンダクタンスをＧｍとすると、増幅回路の入力インピーダンス Ｚｉｎは次式で表される。ここで、抵抗Ｒｆｂは、フィードバック回路２０３の抵抗である。
【００５１】
Ｚｉｎ＝Ｒｆｂ／｛Ｇｍ×（Ｃ１／Ｃ２）×Ｒ１｝      ・・・（１１）
【００５２】
増幅回路のゲインは、Ｇｍ×Ｚｏｕｔで表わされる。共振器の周波数ωを可変にする際に、Ｃ１／Ｃ２を一定に保つようにすることで、ゲイン及び入力インピーダンスＺｉｎが広帯域に対応することができる。容量Ｃ１及びＣ２のみの比率で特性が決まるため、容量Ｃ１及びＣ２を両方同じ素子（例えばMetal-Insulator-Metal Capacitor）で構成すると特性のばらつきも少なく制御性が良い。
【００５３】
例えば、可変容量Ｃ１及びＣ２内のそれぞれの３つのスイッチを順番にオンさせる。まず、可変容量Ｃ１及びＣ２内のそれぞれの左のスイッチをオンさせ、次に、可変容量Ｃ１及びＣ２内のそれぞれの真ん中のスイッチをオンさせ、次に、可変容量Ｃ１及びＣ２内のそれぞれの右のスイッチをオンさせる。
【００５４】
また、容量Ｃ１及びＣ２の比は任意に変えた制御が可能である。可変容量Ｃ１及びＣ２の値を変えることにより、式（９）に示された特定の周波数でゲイン値を変えることができる。
【００５５】
ゲインを一定に保つ場合は、Ｃ１／Ｃ２の比率を一定に保つように、可変容量Ｃ１及びＣ２の値を決める。周波数に合わせて、可変容量Ｃ１及びＣ２の値を切り替える。そのとき、共振器の周波数は変化するが、ゲイン値は変化しない。
【００５６】
また、容量Ｃ１及びＣ２の値の比率を一定ではなく、変化させると任意の出力負荷インピーダンスＺｏｕｔを得ることができ、ゲインを変化させることができる。例えば、可変容量Ｃ１及びＣ２内のそれぞれの左のスイッチのみをオンさせた時にはＣ１／Ｃ２が１になり、可変容量Ｃ１及びＣ２内のそれぞれの真ん中のスイッチのみをオンさせた時にはＣ１／Ｃ２が１／２等にすることができる。この場合、真ん中のスイッチのみをオンさせた時のゲインは、左のスイッチのみをオンさせた時のゲインに比べて１／２になる。
【００５７】
（第３の実施形態）
図３は、本発明の第３の実施形態による増幅回路を有する無線受信装置の構成例を示すブロック図である。無線受信装置は、アンテナ３０１及び受信回路３００を有する。受信回路３００は、高周波用低雑音増幅回路３０２、電圧制御発振器３０３、ミキサ３０４、フィルタ３０５及びベースバンド回路３０６を有する。
【００５８】
アンテナ３０１は、無線信号を受信する。増幅回路３０２は、第１の実施形態（図１）の増幅回路又は第２の実施形態（図２）の増幅回路であり、アンテナ３０１を介して受信した信号を増幅する。電圧制御発振器３０３は、電圧に応じて信号を発振する。ミキサ３０４は、増幅回路３０２により増幅された信号及び電圧制御発振器３０３により発振した信号をミキシングし、周波数変換を行う。フィルタ３０５は、ミキサ３０４によりミキシングされた信号に対してフィルタリング処理を行い、必要な信号のみを出力する。ベースバンド回路３０６は、フィルタ３０５が出力する信号を処理する。
【００５９】
本実施形態の無線受信装置は、第１又は第２の実施形態の増幅回路３０２を用いる。増幅回路３０２は、第１及び第２の実施形態と同様に、低電圧かつ周波数選択性を備えた増幅回路である。
【００６０】
以上のように、第１〜第３の実施形態の増幅回路は、第１の容量Ｃ１及び第２の容量Ｃ２の比に応じて入力インピーダンスＺｉｎ及び出力負荷インピーダンスＺｏｕｔが決まるので、周波数依存性を持たずに、入力インピーダンスＺｉｎ及びゲインを制御することができる。
【００６１】
なお、上記実施形態は、何れも本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
【図面の簡単な説明】
【００６２】
【図１】本発明の第１の実施形態による増幅回路の構成例を示す図である。
【図２】本発明の第２の実施形態による増幅回路の構成例を示す回路図である。
【図３】本発明の第３の実施形態による増幅回路を有する無線受信装置の構成例を示すブロック図である。
【図４】低雑音増幅回路の構成例を示すブロック図である。
【図５】ソース接地型アンプを用いた低雑音増幅回路の構成例を示す回路図である。
【図６】増幅回路の構成例を示すブロック図である。
【図７】図６の増幅回路の具体例を示す回路図である。
【符号の説明】
【００６３】
２０１  アクティブインダクタ
２０２  バッファ回路
２０３  フィードバック回路
２０４  制御用デコーダ（制御回路）
２１１  電界効果トランジスタ
２１２  電流源
３００  受信回路
３０１  アンテナ
３０２  増幅回路
３０３  電圧制御発振器
３０４  ミキサ
３０５  フィルタ
３０６  ベースバンド回路
【図１】
2010074501.tif 000003
【図２】
2010074501.tif 000004
【図３】
2010074501.tif 000005
【図４】
2010074501.tif 000006
【図５】
2010074501.tif 000007
【図６】
2010074501.tif 000008
【図７】
2010074501.tif 000009